(57)【特許請求の範囲】
【請求項１】
電気装置（ＡＰＰ１〜ＡＰＰ１２）に電力を供給するための配電盤（ＰＤＵ）であって、
電源用の配電点（Ｐ）と、
各々が電気装置（ＡＰＰ１〜ＡＰＰ１２）のケーブルにおける雄型の差し込みプラグを受容するように構成された、前記配電盤のアクセス可能な面における複数の雌型の差し込み口（Ｊ１〜Ｊ１２）とを備えており、
前記配電点（Ｐ）は、前記配電盤の内部に設けられた複数のマニュアルリセット可能なブレーカ（ＢＲＫ１〜ＢＲＫ６）に電気的に接続されており、
各ブレーカは、少なくともセット状態およびリセットされるべき状態を有し、前記ブレーカをセット状態にリセットするための押しボタン（ＰＯＵ１〜ＰＯＵ６）を有し、電気的故障の場合に押しボタン（ＰＯＵ１〜ＰＯＵ６）を押し出すためのスプリング（ＳＰ）を有するとともに、前記雌型の差し込み口（Ｊ１〜Ｊ１２）の少なくとも一つに電気的に接続されており、
前記配電盤が更に、押しボタン（ＰＯＵ１〜ＰＯＵ６）が押し出されているブレーカの全てを同時にリセットするように、リセット用押しボタン（ＢＰ）によって駆動され、押し出されている押しボタン（ＰＯＵ１〜ＰＯＵ６）の各スプリング（ＳＰ）を圧縮する接触手段を有する、リセット装置（ＲＭ）を備えていることを特徴とする、配電盤。
【請求項２】
前記リセット用押しボタン（ＢＰ）は、前記接触手段を遠隔で操作するために前記配電盤（ＰＤＵ）の外部に位置していることを特徴とする、請求項１に記載の配電盤。
【請求項３】
前記リセット用押しボタン（ＢＰ）は、配電盤のアクセス可能な面に設けられた開口部を通って延びる押しボタン軸（ＴＰ）により、前記配電盤（ＰＤＵ）の内部の前記接触手段に結合されていることを特徴とする、請求項２に記載の配電盤。
【請求項４】
前記接触手段の押圧面を前記ブレーカ（ＢＲＫ１〜ＢＲＫ６）の押しボタン（ＰＯＵ１〜ＰＯＵ６）から離して保持するとともに、ブレーカがリセットされるときに前記押圧面によって圧縮されるように設けられた少なくとも一つのスプリング（ＲＥＳ１、ＲＥＳ２）をさらに備えていることを特徴とする、請求項１から３のいずれか一項に記載の配電盤。
【請求項５】
電気的故障の場合にスプリング（ＳＰ）によって押し出される押しボタン（ＰＯＵ１〜ＰＯＵ６）は、前記接触手段を駆動するように設けられており、配電盤のアクセス可能な面におけるリセット用押しボタン（ＢＰ）の変位が、電気的故障の生じたことを示すことを特徴とする、請求項２または３に記載の配電盤。
【請求項６】
前記電気装置および前記配電盤を収容するキャビネットをさらに備えており、リセット用押しボタン（ＢＰ）は、前記キャビネットの外部に位置しており、電気的故障が生じたことをその位置によって示すことを特徴とする、請求項５に記載の配電盤。
【請求項７】
リセット装置（ＲＭ）の前記接触手段は、前記ブレーカ（ＢＲＫ１〜ＢＲＫ６）に接続された回路を同時に遮断するために、前記押しボタン（ＰＯＵ１〜ＰＯＵ６）が前記ブレーカ（ＢＲＫ１〜ＢＲＫ６）をリセットすべく移動する方向とは逆の方向に移動可能であることを特徴とする、請求項５または６に記載の配電盤。
【請求項８】
前記接触手段が、一対の相対的に移動する部分（ＰＡＲＴ１、ＰＡＲＴ２）を備えており、その第一の部分（ＰＡＲＴ１）は、固定されると共に前記ブレーカ（ＢＲＫ１〜ＢＲＫ６）を配電盤（ＰＤＵ）内の所定の軸に沿って順に支持しており、その第二の部分（ＰＡＲＴ２）が、第一の部分に対して前記軸を横切る方向に移動し、前記第二の部分（ＰＡＲＴ２）の平面が、前記ブレーカを遠隔からリセットするために、前記リセット用押しボタン（ＢＰ）によって、前記第一の部分（ＰＡＲＴ１）の二つの対向する側面（ＢＲ１、ＢＲ２）の間で駆動され、前記第一の部分（ＰＡＲＴ１）の一方の側面が、開口部（ＯＵＶ１〜ＯＵＶ６）を通して押しボタン（ＰＯＵ１〜ＰＯＵ６）を受け入れていることを特徴とする、請求項１または２に記載の配電盤。
【請求項９】
前記第二の部分（ＰＡＲＴ２）は、前記ブレーカ（ＢＲＫ１〜ＢＲＫ６）の押しボタンを覆う平面を有しており、配電盤（ＰＤＵ）の外側に延びる押しボタン軸（ＴＰ）によって移動されることを特徴とする、請求項８に記載の配電盤。
【請求項１０】
配電盤（ＰＤＵ）に含まれる複数のマニュアルリセット可能なブレーカ（ＢＲＫ１〜ＢＲＫ６）をリセットするための方法であって、
前記配電盤が、電力供給のための配電点（Ｐ）と、各々が電気装置（ＡＰＰ１〜ＡＰＰ１２）の雄型の差し込みプラグを受容するように構成された、前記配電盤の面における複数の雌型の差し込み口（Ｊ１〜Ｊ１２）とを備えており、前記配電点（Ｐ）は、前記ブレーカ（ＢＲＫ１〜ＢＲＫ６）に電気的に接続されており、前記ブレーカの夫々は、これをリセットするための押しボタン（ＰＯＵ１〜ＰＯＵ６）を有し、各押しボタンは、電気的故障の場合に押しボタン（ＰＯＵ１〜ＰＯＵ６）を押し出すためのスプリング（ＳＰ）を有し、各ブレーカ（ＢＲＫ１〜ＢＲＫ６）は、前記雌型の差し込み口（Ｊ１〜Ｊ１２）の少なくとも一つに電気的に接続されており、
押しボタンが押し出されているブレーカの全てを遠隔から同時にリセットするように、配電盤（ＰＤＵ）の内部に位置する接触手段を駆動すべく配電盤（ＰＤＵ）の外部に位置しており、押し出されている押しボタン（ＰＯＵ１〜ＰＯＵ６）のスプリング（ＳＰ）を圧縮するように構成された、リセット用押しボタン（ＢＰ）を使用することを含んでいることを特徴とする、方法。
【請求項１１】
内部に配置された電気装置（ＡＰＰ１〜ＡＰＰ１２）に電力を供給するための少なくとも一つの配電盤（ＰＤＵ）を備えるコンピュータキャビネット（ＡＲＭ）であって、
前記配電盤が、電力供給のための配電点（Ｐ）と、各々が電気装置（ＡＰＰ１〜ＡＰＰ１２）の雄型の差し込みプラグを受容するように構成された、前記キャビネットの面における複数の雌型の差し込み口（Ｊ１〜Ｊ１２）とを備えており、
前記雌型の差し込み口（Ｊ１〜Ｊ１２）は、複数のブレーカ（ＢＲＫ１〜ＢＲＫ６）を同時にリセットすることができるリセット装置（ＲＭ）と一緒に前記配電盤内部に設けられた複数のマニュアルリセット可能なブレーカ（ＢＲＫ１〜ＢＲＫ６）に電気的に接続されており、
前記配電点（Ｐ）は、前記ブレーカ（ＢＲＫ１〜ＢＲＫ６）に電気的に接続されており、
前記ブレーカの夫々が、前記リセット装置によって移動されるように構成された押しボタン（ＰＯＵ１〜ＰＯＵ６）を有するとともに、電気的故障の場合に前記押しボタン（ＰＯＵ１〜ＰＯＵ６）を押し出すためのスプリング（ＳＰ）を有しており、
前記リセット装置（ＲＭ）は、キャビネット（ＡＲＭ）の外部からアクセス可能な単一のリセット用押しボタン（ＢＰ）によって駆動され、押しボタン（ＰＯＵ１〜ＰＯＵ６）が押し出されているブレーカの全てを同時にリセットするように、押し出されている押しボタン（ＰＯＵ１〜ＰＯＵ６）の各スプリング（ＳＰ）を圧縮する、接触手段を有していることを特徴とする、コンピュータキャビネット。
【請求項１２】
前記リセット用押しボタン（ＢＰ）が、前記接触手段を遠隔で操作するために、配電盤（ＰＤＵ）の外部に位置していることを特徴とする、請求項１１に記載のコンピュータキャビネット。
【請求項１３】
前記リセット用押しボタン（ＢＰ）が、キャビネットの開口部を通って延びる押しボタン軸（ＴＰ）により、前記配電盤（ＰＤＵ）の外部からアクセス可能な前記配電盤（ＰＤＵ）の内部の前記接触手段に接続されていることを特徴とする、請求項１２に記載のコンピュータキャビネット。
【請求項１４】
前記接触手段の押圧面を前記ブレーカ（ＢＲＫ１〜ＢＲＫ６）の押しボタン（ＰＯＵ１〜ＰＯＵ６）から離して保持するとともに、前記ブレーカがリセットされたときに前記押圧面によって圧縮されるように設けられた少なくとも一つのスプリング（ＲＥＳ１、ＲＥＳ２）をさらに備えていることを特徴とする、請求項１１から１３のいずれか一項に記載のコンピュータキャビネット。
【請求項１５】
電気的故障の場合にスプリング（ＳＰ）によって押し出される押しボタン（ＰＯＵ１〜ＰＯＵ６）は、前記接触手段を駆動するように設けられており、リセット用押しボタン（ＢＰ）の変位が、電気的故障の生じたことを示すことを特徴とする、請求項１１から１３のいずれか一項に記載のコンピュータキャビネット。
【発明の詳細な説明】
【０００１】
【発明の属する技術分野】
本発明は、多数の電気装置の電源すなわち局所電圧（ｔｅｎｓｉｏｎ  ｓｅｃｔｅｕｒ）を供給可能な局所電圧配電盤に関する。本発明は、交流または直流電流の給電を要するあらゆるシステムに適用される。本発明は、たとえば、大容量メモリや、ＳＡＮ（Ｓｔｏｒａｇｅ  Ａｒｅａ  Ｎｅｗｏｒｋ）タイプのネットワーク素子、たとえば集線装置、スイッチ等を備えるサブシステムを組み込んだ、データ格納情報処理キャビネットに適用される。本発明は特に、大容量メモリを備えるサブシステムが、当業者により知られているＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）技術またはＪＢＯＤ（Ｊｕｓｔ  ａ  Ｂｕｎｃｈ  Ｏｆ  Ｄｉｓｋｓ）技術によりデータを記録するディスクを含む、情報処理キャビネットに適用される。
【０００２】
以下の説明では、「大容量メモリおよびネットワーク素子を備えたサブシステム」という表現の代わりに「電気装置」という表現を用いる。
【０００３】
【従来の技術】
一般に、局所電圧配電盤（ｂｏｉｔｉｅｒ  ｄｅ  ｄｉｓｔｒｉｂｕｔｉｏｎｔｅｎｓｉｏｎ  ｓｅｃｔｅｕｒ）は、少なくとも一つの供給配電点と、その表面にあって電気装置のケーブルの差し込みプラグを受容する少なくとも一つの差し込み口と、リセット用の個々の押しボタンを備えた少なくとも一つのブレーカとを含む。配電点（ｐｏｉｎｔ  ｄｅ  ｄｉｓｔｒｉｂｕｔｉｏｎ）は、マニュアルリセット可能なブレーカに、各電気ケーブルを介して電気的に接続される。ブレーカは、電気ケーブルを介して少なくとも一つの差し込み口に接続される。
【０００４】
選択された例では、情報処理キャビネットが、４つの垂直面と２つの水平面とを備える平行六面体の形状をとっている。
【０００５】
キャビネットは、これらの垂直面に、次のような２個の開口部を含む。
【０００６】
・キャビネットの前面を構成し、電気装置を挿入することによってキャビネットの容積をユーザが利用できるようにする第一の開口部。各装置の電気ケーブルは、後述する第二の開口部を構成する背面からアクセス可能である。
【０００７】
・第一の開口部と反対側のキャビネット面に配置される第二の開口部。第二の開口部は、キャビネットの背面を構成し、ユーザが配電盤を挿入できるように、また、各電気ケーブルを介して配電盤に電気装置を電気的に接続できるようにする。配電盤のアクセス面は、このキャビネットの背面にある。
【０００８】
配電盤とキャビネットの電気装置との電気的な接続は、配電盤のアクセス面で行われる。このため、配電盤はそのアクセス面に、キャビネットに供給する電気装置と同数の差し込み口を含まなければならない。
【０００９】
配電盤はまた、キャビネットの任意の電気装置に場合によっては発生する故障から保護するマニュアルリセット手段を備えたブレーカを含む。一般に、これらのブレーカは、配電盤のアクセス面の、結合される差し込み口付近に配置される。
【００１０】
故障は、キャビネットの任意の装置における過剰消費または短絡によって発生しうる。
【００１１】
従って、配電盤は、キャビネットで供給される電気装置と同数の差し込み口およびブレーカをアクセス面に含まなければならない。
【００１２】
ひとつの単純な解決方法は、キャビネットで供給される電気装置と同数の差し込み口およびブレーカをアクセス面が受容できるようなサイズで配電盤を構成することからなる。
【００１３】
ここで重要な問題は、情報処理キャビネットおよび、それに関連する電気装置の製造は、情報処理キャビネットの互換性および相互操作性を互いに保証することで市場の開放を促すように、的確な規格に従って設計しなければならないことにある。
【００１４】
この場合、配電盤は、標準ＥＩＡ（１９プス（１プス＝２．５４ｃｍ）に従って設計すべきであり、高さは１Ｕ（〜４４ｍｍ）としなければならない。
【００１５】
実際に、以下の説明で例として選択された情報処理キャビネットは、１２個の電気装置を含む。そのため、配電盤は、そのアクセス面に、
・ユーザによるアクセス面に標準化された１２個の差し込み口、
・同数の熱保護ブレーカ（場合によっては遮断が目に見えるもの）、
・最大２４アンペアに耐える総電流、
・ならびにキャビネットの大型供給ケーブルの出口とを備えなければならない。
【００１６】
ところで、１Ｕの配電盤のアクセス面に、ケーブルの出口と、１２個の局所配電差し込み口と、それに結合されるブレーカとを収容することは、実際には、スペース上、不可能である。
【００１７】
【発明が解決しようとする課題】
本発明は、簡単かつ経済的な構造を持ち、使い方が容易で確実な配電盤を提供することにより、この問題を解決することをめざしている。
【００１８】
【課題を解決するための手段】
このため、本発明は、少なくとも一つの電気装置を供給するための局所電圧配電盤であって、少なくとも一つの供給配電点と、その表面にあって電気装置のケーブルの差し込みプラグを受容する少なくとも一つの差し込み口とを含んでおり、前記配電点が、マニュアルリセット可能な少なくとも一つのブレーカに、各電気ケーブルを介して電気的に接続され、前記少なくとも一つのブレーカが、リセット用の押しボタンを個々に含み、ひとつのブレーカが、個々の電気ケーブルを介して少なくとも一つの差し込み口に接続され、前記少なくとも一つのブレーカが配電盤の内部にあり、前記少なくとも一つのブレーカをリセット可能な少なくとも一つのリセット機構を含む配電盤を目的とする。
【００１９】
本発明の好適な実施形態によれば、リセット機構が、
・前記少なくとも一つのブレーカ（ＢＲＫ１〜ＢＲＫ６）を配電盤内部に固定する第一の機械部分と、
・前記少なくとも一つのブレーカを遠隔リセット可能な少なくとも一つのリセット装置（ＲＭ）を含む第二の部分との、二つの部分を含む。このため、実施形態では、リセット装置が、制御手段に結合され、前記制御手段が、配電盤の内部でこの手段に結合されるリセット装置（ＲＭ）の移動を制御する役割をする。
【００２０】
この同じ実施形態によれば、第二の部分が、一端でリセット装置に結合される押しボタン軸を含み、その他端が、配電盤のアクセス面に設けられた穴を通って配電盤の外部に延びている。
【００２１】
リセット機構の選択は、使用されるブレーカのタイプの選択によって決まる。
【００２２】
有利には、リセット装置が、少なくとも一つのスプリングを介して前記少なくとも一つのブレーカの押しボタンから離して保持され、前記少なくとも一つのブレーカのリセットは、前記少なくとも一つのブレーカの押しボタンが奥まで入ってブレーカをリセットするまで前記少なくとも一つのスプリングを圧縮することによって行われる。
【００２３】
幾つかのブレーカの押しボタンは、その状態によって（水平であるか、飛び出しているか）、遮断が行われているかどうか（出ている状態）を示し、押しボタンを押すことによってブレーカを再び連動させることができる。有利には、このタイプのブレーカにより、電気不良の場合、ブレーカのスプリングが押しボタンを押し出すことができる。押しボタンは、その動きによって、リセット装置、押しボタン軸ＴＰ、および押しボタンＢＰを駆動し、配電盤のアクセス面における押しボタンＢＰの移動により、キャビネットＡＲＭに電気不良が発生したことを示す。
【００２４】
好適には、ブレーカが、キャビネットの各電気装置を保護し、各ブレーカは、故障が生じた電気装置を識別するようにリセット機構に結合される。
【００２５】
本発明の実施形態では、配電盤が複数のブレーカを含み、リセット装置ＲＭが、配電盤に含まれる全てのブレーカ（ＢＲＫ１〜ＢＲＫ６）の全体を覆い、それによって、配電盤に含まれる全てのブレーカを同時にリセット可能である。
【００２６】
リセット装置は、ブレーカの全体を覆い、配電盤に含まれる全てのブレーカを同時にリセット可能である。
【００２７】
本発明はまた、必然的に、局所電圧配電盤に含まれる少なくとも一つのマニュアルリセットブレーカのリセット方法であって、前記配電盤が、少なくとも一つの供給配電点と、その表面にあって電気装置の各差し込みプラグを受容する少なくとも一つの差し込み口とを含んでおり、前記配電点が、前記少なくとも一つのブレーカに各電気ケーブルを介して電気的に接続され、前記少なくとも一つのブレーカが、リセット用の押しボタンを個々に含み、一つのブレーカが、個々の電気ケーブルを介して少なくとも一つの差し込み口に接続される方法を目的とし、前記少なくとも一つのブレーカを配電盤の内部に配置し、少なくとも一つのブレーカが遮断する場合、前記少なくとも一つのブレーカを遠隔でリセットすることからなることを特徴とする。
【００２８】
本発明の実施形態では、遠隔リセットは、少なくとも二つの機械部分を使用することからなり、第一の機械部分が、配電盤に前記少なくとも一つのブレーカを固定し、第二の機械部分が、前記少なくとも一つの遠隔ブレーカをリセットするために、配電盤内を移動する役割をする。
【００２９】
この方法は、第二の部分にリセット装置を装備し、リセット装置の表面が、前記少なくとも一つのブレーカの少なくとも一つの前記押しボタンを覆っており、一端がリセット装置に固定されて他端が配電盤の外部に延びる押しボタン軸を介して、このリセット装置を移動することからなる。
【００３０】
全体として、配電盤の内部にあるブレーカの位置決定と、ブレーカを遠隔でリセットできる可能性とにより、多くの長所が得られる。
【００３１】
第一の長所は、配電盤のアクセス面におけるスペースの節約である。かくして、本発明は、配電盤の局所電圧の供給容量を増加し、すなわち、一つのキャビネットで電気装置を供給するために収容可能な局所差し込み口の数を増やせることにある。
【００３２】
第二の長所は、キャビネットが、キャビネット内で場合によっては発生する不良に対して電気的に最適の保護を維持することにある。
【００３３】
本発明はまた、メンテナンスが容易で、安全性が高いことから、配電盤のアクセス面においてのみアクセスできるという大きな長所を持つ。
【００３４】
無視できない別の長所は、配電盤を使用しやすいことにある。
【００３５】
また、別の長所は、配電盤の組立易さにあり、組立時間を節約できる。
【００３６】
その結果、情報処理キャビネットは、キャビネットに含まれる少なくとも一つの電気装置を供給するための少なくとも一つの局所電圧配電盤を含み、前記配電盤が、少なくとも一つの供給配電点Ｐと、その表面にあって各電気装置の差し込みプラグを受容する少なくとも一つの差し込み口とを含んでおり、前記配電点が、マニュアルでリセット可能な少なくとも一つのブレーカに、各電気ケーブルを介して電気的に接続され、前記少なくとも一つのブレーカが、リセット用の押しボタンを個々に含み、ブレーカが、個々の電気ケーブルを介して少なくとも一つの差し込み口に接続され、配電盤が、上記に定義された配電盤である。
【００３７】
本発明は、添付図面に関して例として挙げられた以下の説明を読めば、いっそう理解されるであろう。
【００３８】
【発明の実施の形態】
説明を簡略化するため、図面では、同じ要素には同じ参照符号を付している。
【００３９】
図１は、本発明を実施可能なキャビネットＡＲＭの例を示している。
【００４０】
選択された例では、このキャビネットＡＲＭは、４つの垂直面と２つの水平面とを備える平行六面体の形状をとる。４つの垂直面のうちの２つは、キャビネット内部へのアクセスを可能にする開口部を含む。第一の開口部は、図示されていないが、キャビネットの前面を構成し、電気装置を挿入することによってキャビネットの容積をユーザが利用できるようにする。
【００４１】
第二の開口部ＦＡＲは、第一の開口部と反対側のキャビネットＡＲＭ面に配置される。第二の開口部は、キャビネットの背面を構成する。各装置の電気配線は、この背面に接続可能である。
【００４２】
キャビネットＡＲＭの内部は、少なくとも１つの電圧を供給する電気装置ＡＰＰ１〜ＡＰＰ１２を含む。
【００４３】
キャビネットの内部はまた、少なくとも一つの配電盤ＰＤＵを含む。大容量サブシステムに含まれるディスクがＲＡＩＤまたはＪＢＯＤ技術に従って構成される場合、キャビネットは、キャビネットへの電力供給の冗長性を保証する２個の配電盤ＰＤＵを含む。実際、この構成では、冗長性の問題に対して、各装置が、２本の局所電圧ケーブルを有する。
【００４４】
好適には、電気装置ＡＰＰ１〜ＡＰＰ１２および配電盤ＰＤＵは、平行六面体の形状を取り、引き出しとしてキャビネットＡＲＭに出し入れすることができる。キャビネットに挿入すると、電気装置ＡＰＰ１〜ＡＰＰ１２および配電盤ＰＤＵの面の一つが、キャビネットの片面からアクセス可能である。
【００４５】
配電盤ＰＤＵは、そのアクセス面の入口に、局所電圧を導くケーブルＣＡＢを含む。図示された例では、このケーブルは、位相線と、中性線と、電気ショックおよび過電圧から保護するために接地接続されるアースとを含む。配電盤ＰＤＵはまた、アクセス面の出口に、キャビネットに含まれる個々の電気装置ＡＰＰ１〜ＡＰＰ１２のケーブルの差し込みプラグ（ｐｒｉｓｅ  ｍａｌｅ）を受容可能な少なくとも一つの差し込み口（ｆｅｍｅｌｌｅ）Ｊ１〜Ｊ１２を含む。
【００４６】
図２は、局所電圧配電盤ＰＤＵの実施形態を示す。
【００４７】
好適には、局所電圧は、配電盤の内部に配置される少なくとも一つの端子ＢＯＲ１、ＢＯＲ２を介して供給される。図示された例では、端子ＢＯＲ１は、位相線を供給し、端子ＢＯＲ２は中性線を供給する。具体的には、端子は、中性線を受容し、個々のブレーカ（ＢＲＫ１〜ＢＲＫ６）を介して少なくとも一つの差し込み口（Ｊ１〜Ｊ１２）にこれを供給する。また、端子は、位相電圧を受容し、各ブレーカ（ＢＲＫ１〜ＢＲＫ６）を介して少なくとも一つの差し込み口（Ｊ１〜Ｊ１２）に、この電圧を供給する。
【００４８】
選択されたブレーカ（ＢＲＫ１〜ＢＲＫ６）は、位相線および中性線（ダブルブレーカ）を同時に保護するが、この特徴は、米国およびカナダでの使用に課されたものであることに留意されたい（国際標準）。
【００４９】
ブレーカは、マニュアルリセット可能である。図示された例では、ブレーカは、当業者により知られているリセット式の熱保護ブレーカ（ｄｉｓｊｏｎｃｔｅｕｒ  ｔｈｅｒｍｉｑｕｅ  ｄｅ  ｐｒｏｔｅｃｔｉｏｎ）である。このタイプのブレーカは、一定のばね定数を持つスプリングを備えた押しボタンＰＯＵ１〜ＰＯＵ６を含む。ブレーカが遮断された場合は、この押しボタンに十分な力を加えるだけでよく、ブレーカはマニュアルリセットが可能である。従って、押しボタンを指で押してリセットするだけでよい（これは、もちろん、電流超過を引き起こしていた原因が除去された場合である。そうでない場合は、リセットは不可能である）。
【００５０】
局所配電製品の原価は、ブレーカの価格とタイプにより著しく影響されるので（アセンブリのうちで最も高価なコンポーネントである）、差し込み口を各組ごとに保護することにした。そのため、図示した例では、配電盤内部の電圧線の数を制限するように、差し込み口Ｊ１〜Ｊ１２を組毎に相互接続している。
【００５１】
かくして、２個の差し込み口を保護するのに１個のブレーカで十分である。より詳しくは、６個のブレーカＢＲＫ１〜ＢＲＫ６を用いて、６組の局所電圧差し込み口（Ｊ１−Ｊ２）、（Ｊ３−Ｊ４）、（Ｊ５−Ｊ６）、（Ｊ７−Ｊ８）（Ｊ９−Ｊ１０）、（Ｊ１１−Ｊ１２）を個々に保護するようにしている。
【００５２】
図３は、配電盤ＰＤＵ内部の配線の実施形態を示す電気回路図である。この図では、端子および差し込み口に対するブレーカの構成を考慮していない。図を明確にするため、ブレーカＢＲＫ１を備えた配線だけを示した。他の５個のブレーカＢＲＫ２〜ＢＲＫ６を備えた配線も同じものである。
【００５３】
図示された例では、配電盤が、
・外部配線ＣＡＢから送られる局所電圧の供給配線、および、端子ＢＯＲ１、ＢＯＲ２を介した６個のブレーカ（ＢＲＫ１〜ＢＲＫ６）への電圧供給と、
・局所電圧差し込み口の各組（Ｊ１−Ｊ２）、（Ｊ３−Ｊ４）、（Ｊ５−Ｊ６）、（Ｊ７−Ｊ８）（Ｊ９−Ｊ１０）、（Ｊ１１−Ｊ１２）に向かう各ブレーカ（ＢＲＫ１〜ＢＲＫ６）の配線と、
・局所電圧のアースおよび差し込み口Ｊ１〜Ｊ１２の配線とを含んでいる。
【００５４】
ここで重要な問題は、差し込み口およびブレーカの数が配電盤のアクセス面で制限されることにある。その結果、キャビネットで供給する電気装置の数が制限される。
【００５５】
このため、本発明による配電盤は、ブレーカＢＲＫ１〜ＢＲＫ６の全体を配電盤ＰＤＵの内部に配置し、ブレーカの全部または一部をリセット可能な少なくとも一つのリセット機構を含むことを特徴とする。
【００５６】
図４は、図２に示したリセット機構の分解斜視図である。
【００５７】
図示された例では、リセット機構が、次のような二つの機械部分を含む。
【００５８】
・第一の機械部分ＰＡＲＴ１は、特にブレーカを受容する役割を果たす支持体である。この支持体の断面はＵ字形であり、その底辺ＢＡＳは、長手方向の軸ＡＬに沿って、ねじＶＩＳ１、ＶＩＳ２を介して配電盤の水平面の一つに固定されている。この支持体は、底辺ＢＡＳに垂直な２個のフランジＢＲ１、ＢＲ２を含む。第一のフランジは、開口部ＯＵＶ１〜ＯＵＶ６を含み、これは、たとえば、配電盤に設置されるブレーカＢＲＫ１〜ＢＲＫ６の数に少なくとも等しい数の一定のピッチの切欠きである。これらの開口部ＯＵＶ１〜ＯＵＶ６は、各ブレーカＢＲＫ１〜ＢＲＫ６の押しボタンＰＯＵ１〜ＰＯＵ６を受容する役割を果たす。フランジＢＲ１は、ブレーカ全体の押しボタンＰＯＵ１〜ＰＯＵ６を一列に揃えている。このフランジの厚みは、各ブレーカＢＲＫ１〜ＢＲＫ６の各押しボタンＰＯＵ１〜ＰＯＵ６あるいは、その一部が、支持体の内部に来るように十分に薄いものと仮定する。
【００５９】
第二のフランジＢＲ２は、図示された例では、開口部ＯＵＶ７をその中央に含む。この開口部は、切欠きとすることができる。開口部は、リセット機構の第二の機械部分を受容可能である。
【００６０】
・第二の機械部分ＰＡＲＴ２は、
・ブレーカＢＲＫ１〜ＢＲＫ６の押しボタンの少なくとも全体を表面が覆うことが可能な、平面リセット装置ＲＭ、
・押しボタン軸ＴＰ、および
・押しボタンＢＰを含む。
【００６１】
押しボタン軸は、リセット装置と押しボタンとを結合し、機械連結アセンブリを構成する。好適には、リセット装置ＲＭは、押しボタン軸ＴＰに垂直である。リセット装置は、長手方向の軸に沿って支持体の空き部分に取り付けられる。リセット装置が構成する面が、フランジＢＲ１、ＢＲ２からなる面に平行であることが好ましい。押しボタン軸ＴＰは、開口部ＯＵＶ７を介して支持され、その長さは、押しボタンが、配電盤のアクセス面に設けられた開口部から配電盤の外に出るようなものとする。図示された例では、この開口部が、２組の差し込み口の間に配置されている。
【００６２】
リセット装置ＲＭは、支持体の２個のフランジの間の空き部分を移動可能である。この移動は、配電盤ＰＤＵの外部押しボタンＢＰに一定の力を及ぼすことによって行われる。
【００６３】
リセット装置ＲＭの移動は、横軸に沿って行われる。２個の機械部分ＰＡＲＴ１、ＰＡＲＴ２のアセンブリを強化するように、また第二の機械部分を横方向に移動するように、第二の機械部分は、横軸に沿って支持体に固定された少なくとも一つの金属部品ＰＭ１、ＰＭ２を介して、その移動をガイドされる。より詳しくは、金属部品ＰＭ１の一端が支持体の第一のフランジに固定され、他端が支持体の他方のフランジに固定される。リセット装置ＲＭの端には穴が設けられ、リセット装置が各部品ＰＭ１、ＰＭ２によってガイドされるようにしている。
【００６４】
リセット機構は、個々のスプリングＲＥＳ１、ＲＥＳ２を含み、それぞれの一端ＥＸＴ１Ａ、ＥＸＴ２Ａが、リセット装置ＲＭに、それぞれの他端ＥＸＴ１Ｂ、ＥＸＴ２ＢがフランジＢＲ１に結合される。好適には、スプリングＲＥＳ１、ＲＥＳ２のばね定数は同じであってＫ１に等しい。同様に、ブレーカＢＲＫ１〜ＢＲＫ６の押しボタンに組み込まれたスプリングは、全て同一のばね定数Ｋ２を有する。
【００６５】
図示された例では、スプリングの適正な機能を保証するように、スプリングＲＥＳ１、ＲＥＳ２の横軸が、各金属部品ＰＭ１、ＰＭ２の横軸と一致している。
【００６６】
キャビネットで一つも故障が発生しない場合、全てのブレーカは、作動状態にあり、リセットの必要はない。その場合、リセット装置ＲＭは、ブレーカの押しボタンから十分な距離のところになければならない。こうした距離の条件（条件１）を満たすために、スプリングＲＥＳ１、ＲＥＳ２のばね定数の和が、ブレーカに組み込まれたスプリングの全体のばね定数の和よりも大きくなければならない。
【００６７】
キャビネットの電気装置で発生する故障に続いて少なくとも一つのブレーカが遮断されると、配電盤ＰＤＵのアクセス面に配置される押しボタンＢＰを作動することによって、ブレーカのリセットが行われる。リセットは、指で押しボタンＢＰを作動させることによりマニュアルで実施できる。この作動によりリセット装置ＲＭが横方向に移動する。
【００６８】
図５Ａ、５Ｂは、固定支持体の２個のフランジＢＲ１、ＢＲ２の間のリセット装置ＲＭの移動の変化を示している。
【００６９】
図５Ａは、初期の瞬間におけるリセット装置ＲＭの状態を示す。この瞬間は、たとえば、ブレーカＢＲＫ６により電気的に保護される電気装置で故障が生じる瞬間に対応する。図５Ａは、ブレーカＢＲＫ６の選択により、ブレーカが遮断されたところを示している。
【００７０】
図５Ｂは、ブレーカＢＲＫ６をリセットすることからなるステップを示している。リセットは、
・たとえば指を介して押しボタンに圧力を及ぼすことからなる。押しボタン、押しボタン軸、およびリセット装置から構成される結合部分は、２個のフランジの間でフランジＢＲ２からフランジＢＲ１に向かって横に移動する。図の矢印Ｆは、リセット装置の移動方向を示す。２個の金属部品ＰＭ１、ＰＭ２は、リセット装置ＲＭの横方向の移動をガイドする。
【００７１】
リセット装置ＲＭの移動中、２個のスプリングＲＥＳ１、ＲＥＳ２は、リセット装置ＲＭが押しボタンと接触するまで徐々に圧縮される。リセット装置ＲＭは、ブレーカに組み込まれるスプリングを圧縮することによってブレーカＢＲＫ６をリセットする。
【００７２】
当然のことながら、この実施形態では、押しボタン軸ＴＰの長さが、フランジＢＲ１、ＢＲ２を隔てる距離よりも長い。
【００７３】
もちろん、本発明は、例として挙げられた上記のリセット機構の実施形態に制限されるものではない。反対に、本発明は、同じ原理を遵守する全ての変形実施形態を含む。
【００７４】
特に、リセット機構を変えても本発明の範囲を逸脱することはなく、リセット機構は、複数のリセット装置ＲＭ、複数の押しボタン軸、および結合される押しボタンに分割することができる。この変形実施形態によれば、個別あるいは小さいグループ毎に、ブレーカ制御を決定することができる。これによりコストは上がるが、特別な用途に対応することができる。
【００７５】
また、前記２個の機械部分の形状を変えても本発明の範囲から逸脱することはない。たとえば、Ｕ字形の支持体から構成される第一の機械部分の底は、長手方向に沿う代わりにＶ字形にしてもよい。従って、リセット装置はＶ字形にすることもできる。さらに、他のタイプのリセット機構の構成を検討することも可能であり、製造される製品の量に関するパラメータが構成の選択に影響を及ぼす。しかし、選択した機構とは無関係に、最も重要な制約は、ブレーカが安全素子であることから、装置が機械的に完全に信頼性のあるものでなければならないことにある（故障があってはならない）。
【００７６】
同様に、別の変形実施形態によれば、押しボタン軸ＴＰおよび押しボタンＢＰを、リセット装置ＲＭを遠隔制御可能な電気機構に代替可能である。この電気制御は、配電盤のアクセス面に配置できる。
【００７７】
リセット機構の選択はまた、使用されるブレーカのタイプの選択に応じて決まる。たとえば、ブレーカは、その状態によって（水平であるか、飛び出しているか）、遮断が行われている（飛び出している）かどうかを示す押しボタンを含むことができる。押しボタンを押すと、ブレーカを再び連動することができる。押しボタンは、ブレーカが遮断された場合、ブレーカの押しボタンに含まれるスプリングを介して飛び出す（ユーザは視覚的に故障を感知する）。図６Ａ、６Ｂは、この変形実施形態を示すリセット機構の動作のきわめて大まかな上面図である。
【００７８】
図６Ａでは、リセット装置ＲＭが、押しボタンの近くにある。スプリングＲＥＳ１、ＲＥＳ２は、押しボタンＰＯＵ１〜ＰＯＵ６の近傍にリセット装置を保持する役割をする。ブレーカが遮断されると、このブレーカに結合される押しボタンが飛び出し、その動きによってリセット装置を移動させる。
【００７９】
図６Ｂは、ブレーカが遮断された後のリセット装置の状態を示す。この例では、ブレーカＢＲ６が遮断されている。図の矢印は、故障後のリセット装置の移動方向を示している。リセット装置ＲＭに結合する部分、すなわち押しボタン軸ＴＰおよび押しボタンＢＰは、同様に移動する。押しボタンＢＰの移動は、外部から見えるので、キャビネットの前にいるユーザは、キャビネットで不良が発生したことを知らされる。
【００８０】
当然のことながら、電気装置に不良が現れた場合、ブレーカの押しボタンに組み込まれているスプリングシステムは、リセット装置ＲＭを移動するのに十分な力を及ぼすことが可能でなければならない。
【００８１】
また、考えられる別の変形実施形態では、差し込み口と同数のブレーカを備えることもできる。しかしながら、その結果としては、明らかな利点を引き出すことなく、原価が実質的に上がってしまう。とはいえ、ブレーカの数とは無関係である本発明のオリジナリティに、このことが影響を与えるわけではない。
【００８２】
本発明の考えられる別の実施形態は、付加的なカットアウト（ｃｏｕｐｅ−ｃｉｒｃｕｉｔ）機能を備える製品を規定することにある。この場合、ブレーカは、この機能を持つように選択される。図７Ａは、このようなブレーカの押しボタンの様々な位置を示している。こうしたブレーカは、次の三つの状態を持つことができる。
【００８３】
・通常の状態を示す第一の特徴的な状態（押しボタンは、奥に入った位置Ａにある）。
【００８４】
・故障状態を示す第二の特徴的な状態（押しボタンは、中間位置Ｂにある）。
【００８５】
・カットアウトを示す第三の特徴的な状態（押しボタンは、位置Ｃ）にある。この引き出しは、マニュアルで行われる。
【００８６】
この例によれば、ブレーカの押しボタンは、一端がブレーカの奥に入る円筒部ＣＹＬを含む。他端は、直径が円筒部ＣＹＬの直径よりも大きい円筒ヘッドＴＥＴを含む。この例によれば、リセット機構は、押しボタンＢＰを介して、最大引き抜き位置にブレーカの押しボタンを引き出せるように構成されている。また、この例によれば、機械部分ＰＡＲＴ１は、上記の例と同じである。これに対して、リセット装置ＲＭは、底ＢＡＳ２と２個のフランジＢＲ３、ＢＲ４とを含む。フランジＢＡＳ２および２個のフランジＢＲ３、ＢＲ４から構成されるアセンブリは、図６Ａ、６Ｂに関して記載したのと同様に機械部分ＰＡＲＴ１で移動可能な結合アセンブリを構成する。ブレーカの正面に配置されるフランジＢＲ３は、ブレーカ全体の押しボタンの円筒ヘッドを受容可能な開口部（または切欠き）を含む。従って、リセット装置ＲＭが移動するとき、押しボタンは、移動するように導かれる。
【００８７】
次に、このカットアウト機能を実現するリセット機構の実施形態を示す、図７Ｂ、７Ｃ、７Ｄを参照する。
【００８８】
図７Ｂは、休止状態にある機構を示している。ブレーカは、状態Ａにある。
【００８９】
図７Ｃは、キャビネットに故障が生じたことを示すリセット機構の状態を表している。図示された例では、ブレーカＢＲＫ４が遮断されている。状態ＢにあるブレーカＢＲ４を除いて、全てのブレーカは状態Ａにある。ブレーカＢＲＫ４の押しボタンＰＯＵ４は、ブレーカから飛び出し、その動きによってリセット装置ＲＭのフランジＢＲ４を駆動する。このような機構が適正動作するための一つの条件は、ブレーカの押しボタンの解放を、２つのフランジＢＲ３、ＢＲ４を隔てる距離に少なくとも等しくするか、またはその逆になるようにすることにある。同様に、前記の条件１もまた遵守しなければならない。
【００９０】
図７Ｄは、カットアウト機能を実施した後のリセット機構の状態を示す。カットアウトを実施するために、ユーザは、配電盤の外部に配置される押しボタンＢＰを介して、リセット装置ＲＭをマニュアルで引っ張る（図７Ｄの矢印は、カットアウトを実施するためのリセット装置の移動方向を示す）。押しボタンＢＰおよびフランジＢＲ３の移動により、ブレーカのヘッドが駆動される。全てのブレーカは状態Ｃにある。このとき、ユーザは押しボタンＢＰを外部で解放し得、スプリングＲＥＳ１、ＲＥＳ２は、機械部分ＰＡＲＴ１でブレーカの方向にリセット装置が移動するように戻し力を及ぼす。好適には、戻し力は、最大引き抜き位置にあるブレーカのヘッド（条件１を遵守しなければならない）までフランジＢＲ４が移動するようなものとする。
【００９１】
本発明は、１９プスのキャビネット用の局所電圧配電盤の場合について説明した。もちろん、これは、アクセス面の利用またはスペースが限られている場合に交流または直流電流を給電する別のユーザを対象とすることもできる。
【００９２】
本発明はまた、保護ブレーカがアクセス面から遠隔で配置されていて、結合される遮断差し込み口を持たない、あらゆる配電盤に適用することもできる（直接配線）。
【図面の簡単な説明】
【図１】情報処理キャビネットの背面を構成する開口部のきわめて概略的な正面図であり、配電盤のアクセス面と、局所電圧を供給される電気装置とを示す図である。
【図２】本発明の実施形態を示す配電盤の上面図である。
【図３】図２の配電盤の内部にある一組の差し込みとブレーカとの配線部分をきわめて概略的に示す図である。
【図４】図２のリセット機構の分解斜視図である。
【図５Ａ】図２のリセット機構の動作が休止状態にあるところを示す、概略上面図である。
【図５Ｂ】図２のリセット機構が、配電盤の外部押しボタンをマニュアルで押すことによってブレーカをリセットするところを示す、概略上面図である。
【図６Ａ】図２のリセット機構の動作が休止状態にあるところを示す、概略上面図である。
【図６Ｂ】電気装置に不良が発生したことを示す図２のリセット機構の上面図である。
【図７Ａ】カットアウト機能を備えたブレーカの様々な状態を示す図である。
【図７Ｂ】カットアウト機能を実施するリセット機構が休止状態にあるところを示す図である。
【図７Ｃ】キャビネットに不良が発生したことをリセット機構が示す図である。
【図７Ｄ】カットアウト後のリセット機構の状態を示す図である。
【符号の説明】
ＡＰＰ１、ＡＰＰ２、ＡＰＰ３、ＡＰＰ４、ＡＰＰ５、ＡＰＰ６、ＡＰＰ７、ＡＰＰ８、ＡＰＰ９、ＡＰＰ１０、ＡＰＰ１１、ＡＰＰ１２  電気装置
ＡＲＭ  情報処理キャビネット
ＢＡＳ  機械部分ＰＡＲＴ１の底
ＢＰ  押しボタン
ＢＲ１、ＢＲ２、ＢＲ３、ＢＲ４  フランジ
ＢＲＫ１、ＢＲＫ２、ＢＲＫ３、ＢＲＫ４、ＢＲＫ５、ＢＲＫ６  ブレーカ
ＣＡＢ  ケーブル
ＣＹＬ  円筒部
ＥＸＴ１Ａ、ＥＸＴ２Ａ、ＥＸＴ１Ｂ、ＥＸＴ２Ｂ  スプリング端
Ｊ１、Ｊ２、Ｊ３、Ｊ４、Ｊ５、Ｊ６、Ｊ７、Ｊ８、Ｊ９、Ｊ１０、Ｊ１１、Ｊ１２    差し込み口
ＯＵＶ１、ＯＵＶ２、ＯＵＶ３、ＯＵＶ４、ＯＵＶ５、ＯＵＶ６  開口部
ＰＤＵ  セクタ電圧配電盤
Ｐ  配電点
ＰＡＲＴ１、ＰＡＲＴ２  機械部分
ＰＭ１、ＰＭ２    金属部品
ＰＯＵ１、ＰＯＵ２、ＰＯＵ３、ＰＯＵ４、ＰＯＵ５、ＰＯＵ６  押しボタン
ＲＥＳ１、ＲＥＳ２  スプリング
ＲＭ  リセット装置
ＴＥＴ  円筒ヘッド
ＴＰ  押しボタン軸
ＶＩＳ１、ＶＩＳ２  ねじ
【図１】
0003679725.tif 000002
【図２】
0003679725.tif 000003
【図３】
0003679725.tif 000004
【図４】
0003679725.tif 000005
【図５Ａ】
0003679725.tif 000006
【図５Ｂ】
0003679725.tif 000007
【図６Ａ】
0003679725.tif 000008
【図６Ｂ】
0003679725.tif 000009
【図７Ａ】
0003679725.tif 000010
【図７Ｂ】
0003679725.tif 000011
【図７Ｃ】
0003679725.tif 000012
【図７Ｄ】
0003679725.tif 000013